(57)【要約】【課題】二酸化炭素を点情報でしか測定することできないため広い二酸化炭素分布や二酸化炭素の濃度変化分布等の面情報を得る事ができない等の問題点がある。【解決手段】受光側からα−ナフトールフタレインｐＨ指示薬層、スライドガラス層、テトラフェニルポルフィン発光層の３つの薄膜層から構成した蛍光発光板に該受光側において、被測定領域を介して励起光線を投光し、その際の該蛍光発光板からの蛍光スペクトルの強度を検出し、この検出値に基き前記被測定領域内の二酸化炭素ＣＯ２濃度を測定することを特徴とする二酸化炭素測定方法にある。【選択図】  図２
2004177247.tif 000002
【特許請求の範囲】
【請求項１】
受光側からα−ナフトールフタレインｐＨ指示薬層、スライドガラス層、テトラフェニルポルフィン発光層の３つの薄膜層から構成した蛍光発光板に該受光側において、被測定領域を介して励起光線を投光し、その際の該蛍光発光板からの蛍光スペクトルの強度を検出し、この検出値に基き前記被測定領域内の二酸化炭素ＣＯ２濃度を測定することを特徴とする二酸化炭素測定方法にある。
【０００１】
【発明の詳細な説明】
【０００１】
【発明の属する技術分野】
本発明は、二酸化炭素測定用光学センサーに関するものである。
【０００２】
【従来の技術】
二酸化炭素を精度良く高感度に測定する技術は環境分野や医療分野など様々な分野で重要である。
これまでに二酸化炭素中の炭素と酸素との結合を直接測定する赤外吸収法を用いたセンサーや半導体の電気的信号変化によるセンサーが開発され用いられてきた。
【０００３】
【発明が解決しようとする課題】
しかしながらこれらのセンサーは，センサーの点情報でしか二酸化炭素を測定することできないため，広い二酸化炭素分布や二酸化炭素の濃度変化分布等の面情報を得る事ができない等の問題点がある。
【０００４】
【課題を解決するための手段】
本発明は、これらの問題を解決した二酸化炭素測定用光学センサーでありその特徴とするところは、受光側からα−ナフトールフタレインｐＨ指示薬層、スライドガラス層、テトラフェニルポルフィン発光層の３つの薄膜層から構成した蛍光発光板に該受光側において、被測定領域を介して励起光線を投光し、その際の該蛍光発光板からの蛍光スペクトルの強度を検出し、この検出値に基き前記被測定領域内の二酸化炭素ＣＯ２濃度を測定することを特徴とする二酸化炭素測定方法にある。
【０００５】
即ち本発明の二酸化炭素測定方法は、前記構成により或被測定領域の二酸化炭素の濃度を面分布として捉えるものである。
【０００６】
【発明の実施の形態】
図１、図２には蛍光発光板の構成を示している。蛍光発光板はｐＨ指示薬層、スライドガラス、発光層の３つの薄膜層からなる。
図１には、ｐＨ指示薬層表面から被測定領域を介して励起光線源からの波長３５０〜５５０ｎｍの光線を蛍光発光板に当てると励起光線源とｐＨ指示薬層表面間の被測定領域の二酸化炭素ＣＯ２がない場合発光層の色素Ａが発光するが、その光はｐＨ指示薬層の色素Ｂによって吸収され弱くなることを示す。
図２には、被測定領域に二酸化炭素ＣＯ２の量が存在し増えると発光層の色素Ａからの発光は強くなりｐＨ指示薬層の色素Ｂによる吸収量が減少し色が変化し強くなることを示す。
【０００７】
本発明方法は、この現象に着目し、この現象が顕著であるｐＨ指示薬と発光色素を発見し完成したのである。
即ち本発明はｐＨ指示薬としてα−ナフトールフタレイン（図３）を発光色素としてテトラフェニルポルフィン（ＴＰＰ）（図４）を用いるのである。
そこで本発明におけるの励起光線源としてはキセノンランプを分光して用い，また好ましい波長範囲は波長３５０〜５５０ｎｍの光線であり，その理由は発光色素の吸収波長に一致するからである。
本発明におけるα−ナフトールフタレインｐＨ指示薬層の形成方法は水酸化テトラオクチルアンモニウム，エチルセルロース，トリブチルリン酸およびｐＨ指示薬のα−ナフトールフタレインを混ぜ合わしたトルエン−メタノール混合溶液１ｍｌをスライドガラスに塗布することによるものであり、また好ましい濃度範囲は０．１〜１０ｍＭであり、その理由は  α−ナフトールフタレインが二酸化炭素ＣＯ２によって顕著に青色から黄色に変色する範囲である。
本発明におけるスライドガラス層としての条件は、石英ガラスからなり，用いる波長範囲での透過率は１００％，厚さは０．８ｍＭであり、その理由は用いる波長範囲に置いてスライドガラス層が散乱光や蛍光を発しないためである。
本発明におけるテトラフェニルポルフィン発光層の形成方法はポリスチレンとテトラフェニルポルフィリンを混ぜ合わせたトルエン溶液１ｍｌをスライドガラスに塗布することによるものであり、また好ましい濃度範囲は０．１〜１０μＭであり、その理由は発光効率が最も高い濃度範囲である。
本発明における蛍光スペクトルの強度を検出する手段としては分光器および光電子増倍管やＣＣＤカメラ等を用いる。その理由は蛍光スペクトル強度を高感度で検出できるためである。
【０００８】
【発明の実施例】
本発明の実施例における蛍光発光板は次のように製作した。
水酸化テトラオクチルアンモニウム０．７Ｍが入った２ｍｌのメタノール溶液を溶液▲１▼とし、２．５ｍｌのトルエンにエチルセルロース０．２５ｇを溶解させたものを溶液▲２▼とした。その後溶液▲１▼０．３ｍｌ、溶液▲２▼０．５ｍｌ、トリブチルリン酸０．０５ｍｌ、トルエン１．４ｍｌ、からなる膜形成溶液にｐＨ指示薬のα−ナフトールフタレイン２．２３μｍｏｌを混ぜ合わしたものを溶液▲３▼とし、溶液▲３▼から０．０２ｍｌ取り出しスライドガラス（１．３×２．６ｃｍ  厚さ０．８ｍｍ）上に均厚に塗布しこれを乾燥して１０μ厚のｐＨ指示薬層膜を形成した。（濃度は１ｍＭである。）
この後スライドガラスの裏側に膜形成溶液のポリスチレンと発光色素のテトラフェニルポルフィンＴＰＰを溶かしたトルエン溶液から０．０２ｍｌ取り出し均一に塗布しこれを乾燥して５０μ厚の発光層膜を形成した。（濃度は１０μＭである。）
【０００９】
次にこの蛍光発光板の測定感度評価方法は次の通りである。
励起光線としてキセノンランプを分光した波長３５０ｎｍの光線を用いこれを蛍光発光板のｐＨ指示薬層膜側の５０ｍｍ離間位置から投光し蛍光発光板からの蛍光スペクトル強度を蛍光分光光度計を用いて測定した。
その際ＣＯ２濃度を０〜１００％まで変化させて測定を行った。
図５にα−ナフトールフタレインとテトラフェニルポルフィンＴＰＰを用いた蛍光発光板からの蛍光スペクトル（横軸）の強度（縦軸）変化を示す。ＣＯ２濃度（添え書き縦軸）の増加とともに蛍光スペクトル強度（縦軸）が強くなっていることが分かる。
【００１０】
次に窒素とＣＯ２を交互に吹きかけながら蛍光発光板からの蛍光スペクトルの強度変化を測定することによって窒素からＣＯ２あるいはＣＯ２からＮ２の応答時間を測定した。
蛍光発光板の応答回復時間を測定した結果を図６に示す。
応答時間（横軸）は窒素（Ｎ２）１００％からＣＯ２１００％にした時、回復時間はその逆にした時、それぞれの蛍光スペクトル強度（縦軸）が一定になるまでの時間と定義される。
応答及び回復時間はこれまでに試みられたｐＨ指示薬（ｐＨ指示薬を無機ガラス膜固定化したもの）を利用した蛍光発光板では数十分から数時間かかるのに比し、本例の蛍光発光板では７．６秒と２３．７秒という速い変化を示した。
【００１１】
次に本実施例の蛍光発光板の線形的校正について詳述する。
図７はＣＯ２濃度と蛍光スペクトル強度（縦軸）をプロットしたものである。
このプロット方法は、ＣＯ２濃度０％の時の蛍光スペクトル強度を０とし、他の０％を越えるＣＯ２濃度の時の蛍光スペクトル強度からＣＯ２濃度０％での蛍光スペクトル強度を引いて規格化してプロットしたものである。
ｐＨ指示薬とＣＯ２とが１：１で反応すると仮定した場合、蛍光スペクトル強度とＣＯ２濃度の関係はＩｎｔ＝（ｂ［ＣＯ２］）／（ａ＋［ＣＯ２］）（Ｉｎｔ＝蛍光強度、［ＣＯ２］＝ＣＯ２濃度）と表せる。
この式を利用し、カーブフィットしたものが図中の実線である。
さらに図７で用いた式を線形化するために、この式の両辺の逆数をとり（１／Ｉｎｔ＝ｃ｛１／［ＣＯ２］｝＋ｄ）でプロットしたものが図８である。
このことから得られた蛍光スペクトル強度とＣＯ２濃度の逆数プロットから線形的に二酸化炭素ＣＯ２濃度値を校正すればよい。
このように本例の蛍光発光板は、測定した蛍光スペクトル強度から容易にＣＯ２濃度に変換することができる。
【００１２】
次に本実施例の蛍光発光板におけるｐＨ指示薬の濃度による感度変化について詳述する。
ｐＨ指示薬膜層中のα−ナフトールフタレインの濃度を変えた場合のセンサー特性を調べた結果を図９に示す。
図９ではα−ナフトールフタレインの濃度を低くした蛍光発光板では低いＣＯ２濃度に対して蛍光スペクトルの強度の変化速度が急峻で変化量も大きく、濃度を高くした蛍光発光板ではＣＯ２濃度の変化に対して蛍光スペクトルの強度が安定した速度で変化し且つ高い領域でも大きな変化が見られた。このことよりｐＨ指示薬膜中のα−ナフトールフタレインの濃度を適宜に変えることにより蛍光発光板からの蛍光スペクトルの強度を任意に幅広く変更することができる。
【００１３】
【発明の効果】
以上の説明で明らかなように、本発明の二酸化炭素測定方法は、前記構成により二酸化炭素の濃度変化を面分布として高感度で捉えることができるため二酸化炭素分布や濃度変化の詳細な面情報が得られ，例えば海水中の二酸化炭素濃度分布の測定や室内の二酸化炭素濃度分布の測定等々の優れた効果をもたらすものである。
【００１４】
【図面の簡単な説明】
【図１】本発明の二酸化炭素測定方法の構成と二酸化炭素が存在しないケースの原理を示す断面説明図である。
【図２】本発明の二酸化炭素測定方法の構成と二酸化炭素が存在するケースの原理を示す断面説明図である。
【図３】ｐＨ指示薬例として使用のα−ナフトールフタレインの分子構造を示す。
【図４】発光色素例として使用のテトラフェニルポルフィン（ＴＰＰ）の分子構造を示す。
【図５】ＣＯ２濃度による蛍光スペクトル変化を示すグラフである。
【図６】本発明方法による二酸化炭素測定時の応答時間を示すグラフである。
【図７】ＣＯ２濃度による蛍光スペクトルの強度変化を示すグラフである。
【図８】ＣＯ２濃度対蛍光スペクトルの直線プロットを示すグラフである。
【図９】３種のα−ナフトールフタレインの濃度各々についてＣＯ２濃度と蛍光スペクトルの強度変化を示すグラフである。
【図１】
2004177247.tif 000003
【図２】
2004177247.tif 000004
【図３】
2004177247.tif 000005
【図４】
2004177247.tif 000006
【図５】
2004177247.tif 000007
【図６】
2004177247.tif 000008
【図７】
2004177247.tif 000009
【図８】
2004177247.tif 000010
【図９】
2004177247.tif 000011